(57)【要約】【課題】本発明はマルチレベル制御できる芝生撒水器を開示した。  【解決手段】撒水器と、一端が前記撒水器の中に位置している水入り管とを含み、前記撒水器の中には駆動機構と、伝動機構と、制御機構と、水噴き機構とが設置され、該装置が作動している過程において、水スプレーガンの作業方式を任意に変えられ、これにより水スプレーガンの射程を増やし、これにより水を噴く範囲を広め、これにより芝生の水噴き設備を減らすことができ、芝生に撒水するコストを下げる。【選択図】図１
2020182444.tif 000002
【特許請求の範囲】
【請求項１】
正面視で、撒水器と、一端が前記撒水器の中に位置している水入り管とを含み、前記撒水器の中には駆動機構と、伝動機構と、制御機構と、水噴き機構とが設置され、
前記撒水器の中には外部空間に連通している二つの水噴きチャンバが設置され、前記水入り管の上端には、左右両端がそれぞれ両側の前記水噴きチャンバの中に位置しており、且つ前記水入り管に連通している分水ホースが設置され、前記駆動機構が作動して装置の運動に動力を提供し、前記水噴き機構が異なる長さの水を噴く又は回転しながら水を噴く時、前記制御機構が作動し、前記水噴き機構を直接制御して昇降させ、あるいは前記伝動機構を間接に制御して運動させ、これにより前記水噴き機構の中の部分の部品を制御して昇降させ又は回転させ、これにより水を噴く異なる需要を満たし、
前記伝動機構は弧状板と、二つの昇降ばねと、スライドブロックと、スライドばねと、ロープと、二つのリミットブロックと、リミットばねと、二つの細ひもと、固定ロッドとを含み、前記駆動チャンバの右端壁の中には前記駆動チャンバに連通している弧状チャンバが設置され、前記弧状チャンバの中には一端が前記駆動チャンバの中に位置している前記弧状板が設置され、前記弧状板の左端の下端面には前記推し動かしロッドに押し動かされて回転できる前記固定ロッドが固定され、前記昇降ばねの上端が前記弧状チャンバの上端壁に固定され、前記昇降ばねの下端が前記弧状板と接触しており、前記弧状チャンバの片側端壁の中にはまたスライドチャンバが設置され、前記スライドチャンバの中には前記スライドブロックと、前記スライドブロックを復帰させることができる前記スライドばねとが設置され、前記スライドブロックと前記弧状板との間が前記ロープにより連結され、前記スライドチャンバの前後端壁の中にはいずれも前記スライドチャンバに連通しているばね溝が設置され、前記ばね溝の中には前記スライドブロックの移動を制限できる前記ばねブロックと、前記ばねブロックを復帰させることができる前記リミットばねとが設置され、前記ばねブロックの一端には前記細ひもが固定されていることを特徴とするマルチレベル制御できる芝生撒水器。
【請求項２】
前記駆動機構はモータと、駆動軸と、駆動ロッドと、固定軸と、推し動かしロッドと、捻りばねと、第一ベルトプーリと、ベルトと、第二ベルトプーリと、従動軸と、昇降ブロックと、環状ブロックと、従動ブロックと、従動盤と、昇降盤とを含み、前記撒水器の中にはまた駆動チャンバが設置され、前記駆動チャンバの下端壁には前記モータが固定され、前記モータの上端には前記駆動軸が動力が伝達できるように連結され、前記駆動軸の上端には前記駆動ロッドが固定され、前記駆動ロッドの右端には前記固定軸が固定され、前記固定軸の上端には前記伝動機構の中の部分の部品を回転させることができる前記推し動かしロッドが回転できるように連結され、前記推し動かしロッドと前記駆動軸との間が前記捻りばねにより連結され、前記駆動軸にはまた前記第一ベルトプーリが固定され、前記駆動チャンバの下端壁には前記従動軸が回転できるように連結され、前記従動軸には前記第一ベルトプーリと前記ベルトにより連結された前記第二ベルトプーリが固定され、前記従動軸には前記昇降ブロックがネジ山により連結され、前記従動軸の上端には前記昇降ロッドがネジ山により連結され、前記昇降ブロックには前記昇降盤が固定され、前記昇降盤の上端面には前記環状ブロックが固定され、前記昇降ロッドの下端には従動盤が固定され、前記従動盤の左端には左方へ開口したリミット溝が設置され、前記環状ブロックの左端には前記環状ブロックの左端を貫通しているリミットチャンバが設置され、前記昇降盤の左端には左方へ開口しており、且つ前記リミットチャンバに連通しているリミット孔が設置されていることを特徴とする請求項１に記載のマルチレベル制御できる芝生撒水器。
【請求項３】
前記伝動機構はまた二つの昇降ばねとロープとを含み、前記昇降ばねの上端が前記弧状チャンバの上端壁に固定され、且つ前記昇降ばねの下端が前記弧状板と接触し、前記スライダと前記弧状板との間が前記ロープにより連結されたことを特徴とする請求項１に記載のマルチレベル制御できる芝生撒水器。
【請求項４】
前記制御機構は電磁石と、二つの磁石ブロックと、二つの伸縮ばねと、二つの移動ブロックと、二つのリミット板と、四つの移動ばねとを含み、前記駆動チャンバの左端壁の中には制御チャンバが設置され、前記制御チャンバの中には移動できる二つの前記移動ブロックが設置され、前記移動ブロックの中には右方へ開口した移動溝が設置され、前記リミット板の一端が前記移動溝の中に位置しており、前記リミット板のもう一端が前記駆動チャンバの中に位置しており、下側の前記リミット板の右端が前記リミットチャンバと前記リミット孔の中に位置でき、上側の前記リミット板の右端が前記リミット溝の中に位置しており、前記リミット溝の中には前記移動ブロックと前記リミット板と連結された二つの前記移動ばねが設置され、前記制御チャンバの後端壁には前記電磁石が固定され、前記電磁石の両側にはそれぞれ二つの前記移動ブロックと固定的に連結された前記磁石ブロックがあり、前記磁石ブロックと前記電磁石との間が前記伸縮ばねにより連結され、二つの前記細ひもの一端がそれぞれ一つの前記磁石ブロックの左端と固定的に連結されていることを特徴とする請求項１に記載のマルチレベル制御できる芝生撒水器。
【請求項５】
前記水噴き機構は環状板と、回転盤と、環状ロッドと、リングブロックと、二つの支持ロッドと、二つの水スプレーガンと、二つの回転軸と、連結ロッドと、回しロッドと圧縮ばねとを含み、前記駆動チャンバの上端壁の中には環状チャンバが設置され、前記環状チャンバの中には前記環状板が摩擦により連結され、前記環状板の上端面には前記環状ロッドと前記回転盤とが設置され、前記水噴きチャンバの中には前記分水ホースの一端に連通している前記水スプレーガンが設置され、前記環状チャンバの上端壁の中には前記水噴きチャンバに連通している環状溝が設置され、前記回転盤の上端には上端がそれぞれ前記水噴きチャンバの中に位置しており、且つ前記水スプレーガンを支持できる二つの前記支持柱が固定され、前記支持柱の上端には前端が前記水スプレーガンと回転できるように連結された前記回転軸が回転できるように連結され、前記環状ロッドの上端には上端が前記水噴きチャンバの中に位置しており、且つ前記水スプレーガンの一端を支持できるリングブロックが固定され、前記環状板の中には前記環状板を貫通している円孔と弧状溝とが設置され、前記回転盤の下端には下端が前記弧状溝を貫通しており、且つ前記弧状板の左端前側に位置している前記回しロッドが固定され、前記弧状溝の中には前記回しロッドを復帰させることができる前記圧縮ばねが設置され、前記環状ロッドの下端には下端が前記円孔を貫通しており、且つ前記弧状板の左側下端面と接触した連結ロッドが固定されていることを特徴とする請求項１に記載のマルチレベル制御できる芝生撒水器。
【請求項６】
前記スライドばねが一番大きい伸縮量まで引っ張られる時、前記スライドブロックが前記スライドチャンバから離れられなく、前記スライドばねが前記スライドブロックを連動させて復帰させる時、前記ロープの伝動により前記弧状板を復帰させることができることを特徴とする請求項１又は請求項２に記載のマルチレベル制御できる芝生撒水器。
【請求項７】
前記伸縮ばねの弾力は前記リミットばねの弾力よりはるかに大きいことを特徴とする請求項１又は請求項４に記載のマルチレベル制御できる芝生撒水器。
【請求項８】
初期状態において、前記昇降ばねが引っ張られる状態にあり、しかも前記回しロッドが上昇する時に前記回しロッドの下端が前記弧状板の左端と接触できることを特徴とする請求項１又は請求項５に記載のマルチレベル制御できる芝生撒水器。
【発明の詳細な説明】
【技術分野】
【０００１】
本発明は芝生撒水分野を取り上げて、具体的にはマルチレベル制御できる芝生撒水器である。
【背景技術】
【０００２】
人の遊びと休憩のため、一部の都市の公園には広い芝生を敷き、芝生に撒水する時、よく芝生に配置されている撒水器により自動的に撒水を行い、しかし、現段階で、一部の撒水器の撒水範囲が小さいため、芝生にたくさんの撒水器を配置してこそ撒水の需要を満たすことができ、撒水のコストを大幅に増やす。
【先行技術文献】
【特許文献】
【０００３】
【特許文献１】中国特許出願公開第１０９０８９８４５号明細書
【発明の概要】
【発明が解決しようとする課題】
【０００４】
本発明はマルチレベル制御できる芝生撒水器を提供し、上記背景技術において提出された問題を解決し、芝生に撒水器が多くあるため、撒水のコストが高いという欠点を解消し、コストを下げることを目的とする。
【課題を解決するための手段】
【０００５】
本発明は以下の技術プランによって実現される：
【０００６】
本発明のマルチレベル制御できる芝生撒水器は、撒水器と、一端が前記撒水器の中に位置している水入り管とを含み、前記撒水器の中には駆動機構と、伝動機構と、制御機構と、水噴き機構とが設置され、
前記撒水器の中には外部空間に連通している二つの水噴きチャンバが設置され、前記水入り管の上端には、左右両端がそれぞれ両側の前記水噴きチャンバの中に位置しており、且つ前記水入り管に連通している分水ホースが設置され、前記駆動機構が作動して装置の運動に動力を提供し、前記水噴き機構が異なる長さの水を噴く又は回転しながら水を噴く時、前記制御機構が作動し、前記水噴き機構を直接制御して昇降させ、あるいは前記伝動機構を間接に制御して運動させ、これにより前記水噴き機構の中の部分の部品を制御して昇降させ又は回転させ、これにより水を噴く異なる需要を満たし、
前記伝動機構は弧状板と、二つの昇降ばねと、スライドブロックと、スライドばねと、ロープと、二つのリミットブロックと、リミットばねと、二つの細ひもと、固定ロッドとを含み、前記駆動チャンバの右端壁の中には前記駆動チャンバに連通している弧状チャンバが設置され、前記弧状チャンバの中には一端が前記駆動チャンバの中に位置している前記弧状板が設置され、前記弧状板の左端の下端面には前記推し動かしロッドに押し動かされて回転できる前記固定ロッドが固定され、前記昇降ばねの上端が前記弧状チャンバの上端壁に固定され、前記昇降ばねの下端が前記弧状板と接触しており、前記弧状チャンバの片側端壁の中にはまたスライドチャンバが設置され、前記スライドチャンバの中には前記スライドブロックと、前記スライドブロックを復帰させることができる前記スライドばねとが設置され、前記スライドブロックと前記弧状板との間が前記ロープにより連結され、前記スライドチャンバの前後端壁の中にはいずれも前記スライドチャンバに連通しているばね溝が設置され、前記ばね溝の中には前記スライドブロックの移動を制限できる前記ばねブロックと、前記ばねブロックを復帰させることができる前記リミットばねとが設置され、前記ばねブロックの一端には前記細ひもが固定されている。
【０００７】
好ましくは、前記駆動機構はモータと、駆動軸と、駆動ロッドと、固定軸と、推し動かしロッドと、捻りばねと、第一ベルトプーリと、ベルトと、第二ベルトプーリと、従動軸と、昇降ブロックと、環状ブロックと、従動ブロックと、従動盤と、昇降盤とを含み、前記撒水器の中にはまた駆動チャンバが設置され、前記駆動チャンバの下端壁には前記モータが固定され、前記モータの上端には前記駆動軸が動力が伝達できるように連結され、前記駆動軸の上端には前記駆動ロッドが固定され、前記駆動ロッドの右端には前記固定軸が固定され、前記固定軸の上端には前記伝動機構の中の部分の部品を回転させることができる前記推し動かしロッドが回転できるように連結され、前記推し動かしロッドと前記駆動軸との間が前記捻りばねにより連結され、前記駆動軸にはまた前記第一ベルトプーリが固定され、前記駆動チャンバの下端壁には前記従動軸が回転できるように連結され、前記従動軸には前記第一ベルトプーリと前記ベルトにより連結された前記第二ベルトプーリが固定され、前記従動軸には前記昇降ブロックがネジ山により連結され、前記従動軸の上端には前記昇降ロッドがネジ山により連結され、前記昇降ブロックには前記昇降盤が固定され、前記昇降盤の上端面には前記環状ブロックが固定され、前記昇降ロッドの下端には従動盤が固定され、前記従動盤の左端には左方へ開口したリミット溝が設置され、前記環状ブロックの左端には前記環状ブロックの左端を貫通しているリミットチャンバが設置され、前記昇降盤の左端には左方へ開口しており、且つ前記リミットチャンバに連通しているリミット孔が設置されている。
【０００８】
好ましくは、前記伝動機構はまた二つの昇降ばねとロープとを含み、前記昇降ばねの上端が前記弧状チャンバの上端壁に固定され、且つ前記昇降ばねの下端が前記弧状板と接触し、前記スライダと前記弧状板との間が前記ロープにより連結されている。
【０００９】
好ましくは、前記制御機構は電磁石と、二つの磁石ブロックと、二つの伸縮ばねと、二つの移動ブロックと、二つのリミット板と、四つの移動ばねとを含み、前記駆動チャンバの左端壁の中には制御チャンバが設置され、前記制御チャンバの中には移動できる二つの前記移動ブロックが設置され、前記移動ブロックの中には右方へ開口した移動溝が設置され、前記リミット板の一端が前記移動溝の中に位置しており、前記リミット板のもう一端が前記駆動チャンバの中に位置しており、下側の前記リミット板の右端が前記リミットチャンバと前記リミット孔の中に位置でき、上側の前記リミット板の右端が前記リミット溝の中に位置しており、前記リミット溝の中には前記移動ブロックと前記リミット板と連結された二つの前記移動ばねが設置され、前記制御チャンバの後端壁には前記電磁石が固定され、前記電磁石の両側にはそれぞれ二つの前記移動ブロックと固定的に連結された前記磁石ブロックがあり、前記磁石ブロックと前記電磁石との間が前記伸縮ばねにより連結され、二つの前記細ひもの一端がそれぞれ一つの前記磁石ブロックの左端と固定的に連結されている。
【００１０】
好ましくは、前記水噴き機構は環状板と、回転盤と、環状ロッドと、リングブロックと、二つの支持ロッドと、二つの水スプレーガンと、二つの回転軸と、連結ロッドと、回しロッドと圧縮ばねとを含み、前記駆動チャンバの上端壁の中には環状チャンバが設置され、前記環状チャンバの中には前記環状板が摩擦により連結され、前記環状板の上端面には前記環状ロッドと前記回転盤とが設置され、前記水噴きチャンバの中には前記分水ホースの一端に連通している前記水スプレーガンが設置され、前記環状チャンバの上端壁の中には前記水噴きチャンバに連通している環状溝が設置され、前記回転盤の上端には上端がそれぞれ前記水噴きチャンバの中に位置しており、且つ前記水スプレーガンを支持できる二つの前記支持柱が固定され、前記支持柱の上端には前端が前記水スプレーガンと回転できるように連結された前記回転軸が回転できるように連結され、前記環状ロッドの上端には上端が前記水噴きチャンバの中に位置しており、且つ前記水スプレーガンの一端を支持できるリングブロックが固定され、前記環状板の中には前記環状板を貫通している円孔と弧状溝とが設置され、前記回転盤の下端には下端が前記弧状溝を貫通しており、且つ前記弧状板の左端前側に位置している前記回しロッドが固定され、前記弧状溝の中には前記回しロッドを復帰させることができる前記圧縮ばねが設置され、前記環状ロッドの下端には下端が前記円孔を貫通しており、且つ前記弧状板の左側下端面と接触した連結ロッドが固定されている。
【００１１】
好ましくは、前記スライドばねが一番大きい伸縮量まで引っ張られる時、前記スライドブロックが前記スライドチャンバから離れられなく、前記スライドばねが前記スライドブロックを連動させて復帰させる時、前記ロープの伝動により前記弧状板を復帰させることができる。
【００１２】
好ましくは、前記伸縮ばねの弾力は前記リミットばねの弾力よりはるかに大きい。
【００１３】
好ましくは、初期状態において、前記昇降ばねが引っ張られる状態にあり、しかも前記回しロッドが上昇する時に前記回しロッドの下端が前記弧状板の左端と接触できる。
【発明の効果】
【００１４】
本発明の有益効果は：該装置が構成が簡単で、操作が便利で、該装置が作動している過程において、水スプレーガンの作業方式を任意に変えられ、これにより水スプレーガンの射程を増やし、これにより水を噴く範囲を広め、これにより芝生の水噴き設備を減らすことができ、芝生に撒水するコストを下げる。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の実施例の構成模式図
【図２】図２は本発明の実施例のＡ―Ａの構成模式図
【図３】図３は本発明の実施例のＢ―Ｂの構成模式図
【図４】図４は本発明の実施例の制御機構の部分断面の正面拡大構成模式図
【図５】図５は本発明の実施例の駆動機構の部分断面の正面拡大構成模式図
【図６】図６は本発明の実施例の従動盤の全断面の上面拡大構成模式図
【発明を実施するための形態】
【００１７】
図１〜６に記載のマルチレベル制御できる芝生撒水器の機械構成図を参照し、本発明のマルチレベル制御できる芝生撒水器は、主に撒水器１と、一端が前記撒水器１の中に位置している水入り管２とを含み、前記撒水器１の中には駆動機構５８と、伝動機構５７と、制御機構６０と、水噴き機構５９とが設置されている。    
【００１８】
前記撒水器１の中には外部空間に連通している二つの水噴きチャンバ３が設置され、前記水入り管２の上端には、左右両端がそれぞれ両側の前記水噴きチャンバ３の中に位置しており、且つ前記水入り管２に連通している分水ホース３０が設置され、前記駆動機構５８が作動して装置の運動に動力を提供し、前記水噴き機構５９が異なる長さの水を噴く又は回転しながら水を噴く時、前記制御機構６０が作動し、前記水噴き機構５９を直接制御して昇降させ、あるいは前記伝動機構５７を間接に制御して運動させ、これにより前記水噴き機構５９の中の部分の部品を制御して昇降させ又は回転させ、これにより水を噴く異なる需要を満たす。  
【００１９】
前記駆動機構５８はモータ１９と、駆動軸２１と、駆動ロッド４９と、固定軸５０と、推し動かしロッド５１と、捻りばね５２と、第一ベルトプーリ２０と、ベルト１８と、第二ベルトプーリ１５と、従動軸１６と、昇降ブロック１３と、環状ブロック２２と、従動ブロック１０と、従動盤１１と、昇降盤６１とを含み、前記撒水器１の中にはまた駆動チャンバ１７が設置され、前記駆動チャンバ１７の下端壁には前記モータ１９が固定され、前記モータ１９の上端には前記駆動軸２１が動力が伝達できるように連結され、前記駆動軸２１の上端には前記駆動ロッド４９が固定され、前記駆動ロッド４９の右端には前記固定軸５０が固定され、前記固定軸５０の上端には前記伝動機構５７の中の部分の部品を回転させることができる前記推し動かしロッド５１が回転できるように連結され、前記推し動かしロッド５１と前記駆動軸５０との間が前記捻りばね５２により連結され、前記駆動軸２１にはまた前記第一ベルトプーリ２０が固定され、前記駆動チャンバ１７の下端壁には前記従動軸１６が回転できるように連結され、前記従動軸１６には前記第一ベルトプーリ２０と前記ベルト１８により連結された前記第二ベルトプーリ１５が固定され、前記従動軸１６には前記昇降ブロック１３がネジ山により連結され、前記従動軸１６の上端には前記昇降ロッド１０がネジ山により連結され、前記昇降ブロック１３には前記昇降盤６１が固定され、前記昇降盤６１の上端面には前記環状ブロック２２が固定され、前記昇降ロッド１０の下端には従動盤１０が固定され、前記従動盤１０の左端には左方へ開口したリミット溝５５が設置され、前記環状ブロック２２の左端には前記環状ブロック２２の左端を貫通しているリミットチャンバ５４が設置され、前記昇降盤６１の左端には左方へ開口しており、且つ前記リミットチャンバ５４に連通しているリミット孔１４が設置されている。
【００２０】
前記伝動機構５７は弧状板２３と、二つの昇降ばね２４と、スライドブロック４０と、スライドばね３９と、ロープ３４と、二つのリミットブロック４１と、リミットばね３８と、二つの細ひも３７と、固定ロッド５３とを含み、前記駆動チャンバ１７の右端壁の中には前記駆動チャンバ１７に連通している弧状チャンバ２５が設置され、前記弧状チャンバ２５の中には一端が前記駆動チャンバ１７の中に位置している前記弧状板２３が設置され、前記弧状板２３の左端の下端面には前記推し動かしロッド５１に押し動かされて回転できる前記固定ロッド５３が固定され、前記昇降ばね２４の上端が前記弧状チャンバ２５の上端壁に固定され、前記昇降ばね２４の下端が前記弧状板２３と接触しており、前記弧状チャンバ２５の片側端壁の中にはまたスライドチャンバ３５が設置され、前記スライドチャンバ３５の中には前記スライドブロック４０と、前記スライドブロック４０を復帰させることができる前記スライドばね３９とが設置され、前記スライドブロック４０と前記弧状板２３との間が前記ロープ３４により連結され、前記スライドチャンバ３５の前後端壁の中にはいずれも前記スライドチャンバ３５に連通しているばね溝３６が設置され、前記ばね溝３６の中には前記スライドブロック４０の移動を制限できる前記ばねブロック４１と、前記ばねブロック４１を復帰させることができる前記リミットばね３８とが設置され、前記ばねブロック４１の一端には前記細ひも３７が固定されている。
【００２１】
前記制御機構６０は電磁石４２と、二つの磁石ブロック４３と、二つの伸縮ばね４４と、二つの移動ブロック４５と、二つのリミット板４８と、四つの移動ばね４６とを含み、前記駆動チャンバ１７の左端壁の中には制御チャンバ１２が設置され、前記制御チャンバ１２の中には移動できる二つの前記移動ブロック４５が設置され、前記移動ブロック４５の中には右方へ開口した移動溝４７が設置され、前記リミット板４８の一端が前記移動溝４７の中に位置しており、前記リミット板４８のもう一端が前記駆動チャンバ１７の中に位置しており、下側の前記リミット板４８の右端が前記リミットチャンバ５４と前記リミット孔１４の中に位置でき、上側の前記リミット板４８の右端が前記リミット溝５５の中に位置しており、前記リミット溝５５の中には前記移動ブロック４５と前記リミット板４８と連結された二つの前記移動ばね４６が設置され、前記制御チャンバ１７の後端壁には前記電磁石４２が固定され、前記電磁石４２の両側にはそれぞれ二つの前記移動ブロック４５と固定的に連結された前記磁石ブロック４３があり、前記磁石ブロック４３と前記電磁石４２との間が前記伸縮ばね４４により連結され、二つの前記細ひも３７の一端がそれぞれ一つの前記磁石ブロック４３の左端と固定的に連結されている。
【００２２】
前記水噴き機構５９は環状板９と、回転盤２８と、環状ロッド２６と、リングブロック６と、二つの支持ロッド４と、二つの水スプレーガン５と、二つの回転軸２９と、連結ロッド８と、回しロッド７と圧縮ばね３３とを含み、前記駆動チャンバ１７の上端壁の中には環状チャンバ２７が設置され、前記環状チャンバ２７の中には前記環状板９が摩擦により連結され、前記環状板９の上端面には前記環状ロッド２６と前記回転盤２８とが設置され、前記水噴きチャンバ３の中には前記分水ホース３０の一端に連通している前記水スプレーガン５が設置され、前記環状チャンバ２７の上端壁の中には前記水噴きチャンバ３に連通している環状溝５６が設置され、前記回転盤２８の上端には上端がそれぞれ前記水噴きチャンバ３の中に位置しており、且つ前記水スプレーガン５を支持できる二つの前記支持柱４が固定され、前記支持柱４の上端には前端が前記水スプレーガン５と回転できるように連結された前記回転軸２９が回転できるように連結され、前記環状ロッド２６の上端には上端が前記水噴きチャンバ３の中に位置しており、且つ前記水スプレーガン５の一端を支持できるリングブロック６が固定され、前記環状板９の中には前記環状板９を貫通している円孔３１と弧状溝３２とが設置され、前記回転盤２８の下端には下端が前記弧状溝３２を貫通しており、且つ前記弧状板２３の左端前側に位置している前記回しロッド７が固定され、前記弧状溝３２の中には前記回しロッド７を復帰させることができる前記圧縮ばね３３が設置され、前記環状ロッド２６の下端には下端が前記円孔３１を貫通しており、且つ前記弧状板２３の左側下端面と接触した連結ロッド８が固定されている。
【００２３】
装置全体の機械作動の順序は：
【００２４】
１：水入り管２により分水ホース３０と水噴き管５の中に水を注ぎ、これにより水噴き管５により水を噴き出し、芝生に散水する。
【００２５】
２：水スプレーガン５の水を噴く角度を変える時、電磁石４２が作動して磁石ブロック４３と吸引し合い、これにより下側の移動ブロック４５が右方へ運動し、上側の移動ブロック４５が左方へ運動し、これにより下側のリミット板４８がリミットチャンバ５４とリミット孔１４の中に位置しており、上側のリミット板４８の右端がリミット溝５５から離れ、磁石ブロック４３の移動により、一つの細ひも３７が締められるが、もう一つの細ひも３７が緩み、これにより片側のリミットばね３８が復帰し、これにより一つのばねブロック４１がスライドチャンバ３５の中に位置してスライドブロック４０の運動を制御し、これにより弧状板２３が運動できなくなり、この時にモータ１９が起動して駆動軸２１を連動させて回転させ、これにより第一ベルトプーリ２０と駆動ロッド４９とが回転し、駆動ロッド４９が回転して固定軸５０と推し動かしロッド５１とを連動させて回転させ、弧状板２３が回転できないため、固定ロッド５３が回転できなく、これにより推し動かしロッド５１が回転する過程において固定ロッド５３と接触する時、捻りばね５２が捻られ、第一ベルトプーリ２０の回転により第二ベルトプーリ１５と従動軸１６との回転を連動させ、従動盤１１が制限されなくなり、昇降ロッド１０と従動盤１１とが空回りし、昇降盤６１がリミット板４８の制限により昇降ブロック１３と昇降盤６１と環状ブロック２２とを上昇させ、これにより弧状板２３が上昇し、これにより連結ロッド８と、環状ロッド２６とリングブロック６とを上昇させ、これにより水スプレーガン５の一端が上方へ運動し、これにより水スプレーガン５の水を噴く角度を変え、水を更に遠いところまで噴く。
【００２６】
３：水スプレーガン５が回転しながら水を噴く時、電磁石４２が作動しなく、伸縮ばね４４が二つの磁石ブロック４３を元の位置に戻し、細ひも３７がばねブロック４１をばね溝３６の中に引き戻し、これによりばねブロック４１がスライドブロック４０の運動を制限しなく、また二つのリミット板４８がいずれも従動盤１１と昇降盤６１とを制限しなく、この時にモータ１９が起動して駆動軸２１を連動させて回転させ、これにより駆動ロッド４９が回転し、これにより固定軸５０と推し動かしロッド５１とが回転し、推し動かしロッド５１がスライドブロック４０と固定ロッド５３と弧状板２３とを連動させて回転させ、これにより弧状板２３が回しロッド７と回転盤２８と支持柱４と水スプレーガン５とを連動させて回転させ、弧状板２３が回転しなくなる時、捻りばね５２が捻られ、推し動かしロッド５１と固定ロッド５３とが接触しなくなる時、スライドばね３９がスライドブロック４０を連動させて復帰させ、これにより弧状板２３と固定ロッド５３とが復帰し、回しロッド７が圧縮ばね３３の作用のもとで復帰し、これにより水スプレーガン５が復帰し、モータ１９の起動している期間、水スプレーガン５がそのように往復運動し、これにより水スプレーガン５が回転しながら水を噴く。
【００２７】
４：水スプレーガン５の高度を上げた後に水を噴く時、電磁石４２が作動して磁石ブロック４３と反発し合い、これにより下側の移動ブロック４５が左方へ移動し、上側の移動ブロック４５が右方へ移動し、これにより下側のリミット板４８がリミットチャンバ５４とリミット孔１４とから離れ、上側のリミット板４８の右端がリミット溝５５の中に位置しており、磁石ブロック４３の移動により一つの細ひも３７が締められるが、もう一つの細ひも３７が緩み、これにより片側のリミットばね３８が復帰し、これにより一つのばねブロック４１がスライドチャンバ３５の中に位置してスライドブロック４０の運動を制限し、これにより弧状板２３が運動できなく、モータ１９が起動して伝動により従動軸１６を回転させ、この時に昇降ブロック１３が空回りし、昇降ロッド１０が上方へ運動し、これにより環状板９が上方へ運動し、これにより回転盤２８と環状ロッド２６とが上方へ運動し、これにより水スプレーガン５を上方へ運動させ、これにより水スプレーガン５の高度を上げ、水を更に遠いところまで噴く。
【００２８】
５：水スプレーガン５が比較的に高いところで水を噴く又は回転しながら水を噴く時、環状板９が一定の高度まで上昇した後、電磁石４２を制御して作動させ、これにより電磁石４２が磁石ブロック４３と吸引し合い、あるいは電磁石４２を制御して作動させ、モータ１９が起動した後に伝動により水スプレーガン５が回転し又は角度を変えて水を噴く。
【００２９】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。
【図１】
2020182444.tif 000003
【図２】
2020182444.tif 000004
【図３】
2020182444.tif 000005
【図４】
2020182444.tif 000006
【図５】
2020182444.tif 000007
【図６】
2020182444.tif 000008
【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
正面視で、撒水器と、一端が前記撒水器の中に位置している水入り管とを含み、前記撒水器の中には駆動機構と、伝動機構と、制御機構と、水噴き機構とが設置され、 
前記撒水器の中には外部空間に連通している二つの水噴きチャンバが設置され、前記水入り管の上端には、左右両端がそれぞれ両側の前記水噴きチャンバの中に位置しており、且つ前記水入り管に連通している分水ホースが設置され、前記駆動機構が作動して装置の運動に動力を提供し、前記水噴き機構が異なる距離の水を噴く又は回転しながら水を噴く時、前記制御機構が作動し、前記水噴き機構を直接制御して昇降させ、あるいは前記伝動機構を間接に制御して運動させ、これにより前記水噴き機構の中の部分の部品を制御して昇降させ又は回転させ、これにより水を噴く異なる需要を満たし、 
前記伝動機構は弧状板と、二つの昇降ばねと、スライドブロックと、スライドばねと、ロープと、二つのリミットブロックと、リミットばねと、二つの細ひもと、固定ロッドとを含み、前記駆動チャンバの右端壁の中には前記駆動チャンバに連通している弧状チャンバが設置され、前記弧状チャンバの中には一端が前記駆動チャンバの中に位置している前記弧状板が設置され、前記弧状板の左端の下端面には前記推し動かしロッドに押し動かされて回転できる前記固定ロッドが固定され、前記昇降ばねの上端が前記弧状チャンバの上端壁に固定され、前記昇降ばねの下端が前記弧状板と接触しており、前記弧状チャンバの片側端壁の中にはまたスライドチャンバが設置され、前記スライドチャンバの中には前記スライドブロックと、前記スライドブロックを復帰させることができる前記スライドばねとが設置され、前記スライドブロックと前記弧状板との間が前記ロープにより連結され、前記スライドチャンバの前後端壁の中にはいずれも前記スライドチャンバに連通しているばね溝が設置され、前記ばね溝の中には前記スライドブロックの移動を制限できる前記ばねブロックと、前記ばねブロックを復帰させることができる前記リミットばねとが設置され、前記ばねブロックの一端には前記細ひもが固定されており、 
前記駆動機構はモータと、駆動軸と、駆動ロッドと、固定軸と、推し動かしロッドと、捻りばねと、第一ベルトプーリと、ベルトと、第二ベルトプーリと、従動軸と、昇降ブロックと、環状ブロックと、従動ブロックと、従動盤と、昇降盤とを含み、前記撒水器の中にはまた駆動チャンバが設置され、前記駆動チャンバの下端壁には前記モータが固定され、 
前記モータの上端には前記駆動軸が動力が伝達できるように連結され、前記駆動軸の上端には前記駆動ロッドが固定され、前記駆動ロッドの右端には前記固定軸が固定され、前記固定軸の上端には前記伝動機構の中の部分の部品を回転させることができる前記推し動かしロッドが回転できるように連結され、前記推し動かしロッドと前記駆動軸との間が前記捻りばねにより連結され、前記駆動軸にはまた前記第一ベルトプーリが固定され、前記駆動チャンバの下端壁には前記従動軸が回転できるように連結され、前記従動軸には前記第一ベルトプーリと前記ベルトにより連結された前記第二ベルトプーリが固定され、前記従動軸には前記昇降ブロックがネジ山により連結され、前記従動軸の上端には前記昇降ロッドがネジ山により連結され、前記昇降ブロックには前記昇降盤が固定され、前記昇降盤の上端面には前記環状ブロックが固定され、前記昇降ロッドの下端には従動盤が固定され、 
前記従動盤の左端には左方へ開口したリミット溝が設置され、前記環状ブロックの左端には前記環状ブロックの左端を貫通しているリミットチャンバが設置され、前記昇降盤の左端には左方へ開口しており、且つ前記リミットチャンバに連通しているリミット孔が設置されており、 
前記伝動機構はまた二つの昇降ばねとロープとを含み、前記昇降ばねの上端が前記弧状チャンバの上端壁に固定され、且つ前記昇降ばねの下端が前記弧状板と接触し、前記スライダと前記弧状板との間が前記ロープにより連結され、
前記制御機構は電磁石と、二つの磁石ブロックと、二つの伸縮ばねと、二つの移動ブロックと、二つのリミット板と、四つの移動ばねとを含み、前記駆動チャンバの左端壁の中には制御チャンバが設置され、前記制御チャンバの中には移動できる二つの前記移動ブロックが設置され、前記移動ブロックの中には右方へ開口した移動溝が設置され、前記リミット板の一端が前記移動溝の中に位置しており、前記リミット板のもう一端が前記駆動チャンバの中に位置しており、下側の前記リミット板の右端が前記リミットチャンバと前記リミット孔の中に位置でき、上側の前記リミット板の右端が前記リミット溝の中に位置しており、前記リミット溝の中には前記移動ブロックと前記リミット板と連結された二つの前記移動ばねが設置され、前記制御チャンバの後端壁には前記電磁石が固定され、前記電磁石の両側にはそれぞれ二つの前記移動ブロックと固定的に連結された前記磁石ブロックがあり、前記磁石ブロックと前記電磁石との間が前記伸縮ばねにより連結され、二つの前記細ひもの一端がそれぞれ一つの前記磁石ブロックの左端と固定的に連結されており、 
前記水噴き機構は環状板と、回転盤と、環状ロッドと、リングブロックと、二つの支持ロッドと、二つの水スプレーガンと、二つの回転軸と、連結ロッドと、回しロッドと圧縮ばねとを含み、前記駆動チャンバの上端壁の中には環状チャンバが設置され、前記環状チャンバの中には前記環状板が摩擦により連結され、前記環状板の上端面には前記環状ロッドと前記回転盤とが設置され、前記水噴きチャンバの中には前記分水ホースの一端に連通している前記水スプレーガンが設置され、前記環状チャンバの上端壁の中には前記水噴きチャンバに連通している環状溝が設置され、前記回転盤の上端には上端がそれぞれ前記水噴きチャンバの中に位置しており、且つ前記水スプレーガンを支持できる二つの前記支持柱が固定され、前記支持柱の上端には前端が前記水スプレーガンと回転できるように連結された前記回転軸が回転できるように連結され、前記環状ロッドの上端には上端が前記水噴きチャンバの中に位置しており、且つ前記水スプレーガンの一端を支持できるリングブロックが固定され、前記環状板の中には前記環状板を貫通している円孔と弧状溝とが設置され、前記回転盤の下端には下端が前記弧状溝を貫通しており、且つ前記弧状板の左端前側に位置している前記回しロッドが固定され、前記弧状溝の中には前記回しロッドを復帰させることができる前記圧縮ばねが設置され、前記環状ロッドの下端には下端が前記円孔を貫通しており、且つ前記弧状板の左側下端面と接触した連結ロッドが固定されていることを特徴とするマルチレベル制御できる芝生撒水器。 
【請求項２】
前記スライドばねが一番大きい伸縮量まで引っ張られる時、前記スライドブロックが前記スライドチャンバから離れられなく、前記スライドばねが前記スライドブロックを連動させて復帰させる時、前記ロープの伝動により前記弧状板を復帰させることができることを特徴とする請求項１記載のマルチレベル制御できる芝生撒水器。 
【請求項３】
前記伸縮ばねの弾力は前記リミットばねの弾力よりはるかに大きいことを特徴とする請求項１に記載のマルチレベル制御できる芝生撒水器。 
【請求項４】
初期状態において、前記昇降ばねが引っ張られる状態にあり、しかも前記回しロッドが上昇する時に前記回しロッドの下端が前記弧状板の左端と接触できることを特徴とする請求項１に記載のマルチレベル制御できる芝生撒水器。
【手続補正２】
【補正対象書類名】明細書
【補正対象項目名】全文
【補正方法】変更
【補正の内容】
【発明の詳細な説明】
【技術分野】
【０００１】
本発明は芝生撒水分野を取り上げて、具体的にはマルチレベル制御できる芝生撒水器である。
【背景技術】
【０００２】
人の遊びと休憩のため、一部の都市の公園には広い芝生を敷き、芝生に撒水する時、よく芝生に配置されている撒水器により自動的に撒水を行い、しかし、現段階で、一部の撒水器の撒水範囲が小さいため、芝生にたくさんの撒水器を配置してこそ撒水の需要を満たすことができ、撒水のコストを大幅に増やす。 
【先行技術文献】
【特許文献】
【０００３】
【特許文献１】中国特許出願公開第１０９０８９８４５号明細書
【発明の概要】
【発明が解決しようとする課題】
【０００４】
本発明はマルチレベル制御できる芝生撒水器を提供し、上記背景技術において提出された問題を解決し、芝生に撒水器が多くあるため、撒水のコストが高いという欠点を解消し、コストを下げることを目的とする。 
【課題を解決するための手段】
【０００５】
本発明は以下の技術プランによって実現される： 
【０００６】
本発明のマルチレベル制御できる芝生撒水器は、撒水器と、一端が前記撒水器の中に位置している水入り管とを含み、前記撒水器の中には駆動機構と、伝動機構と、制御機構と、水噴き機構とが設置され、 
前記撒水器の中には外部空間に連通している二つの水噴きチャンバが設置され、前記水入り管の上端には、左右両端がそれぞれ両側の前記水噴きチャンバの中に位置しており、且つ前記水入り管に連通している分水ホースが設置され、前記駆動機構が作動して装置の運動に動力を提供し、前記水噴き機構が異なる距離の水を噴く又は回転しながら水を噴く時、前記制御機構が作動し、前記水噴き機構を直接制御して昇降させ、あるいは前記伝動機構を間接に制御して運動させ、これにより前記水噴き機構の中の部分の部品を制御して昇降させ又は回転させ、これにより水を噴く異なる需要を満たし、 
前記伝動機構は弧状板と、二つの昇降ばねと、スライドブロックと、スライドばねと、ロープと、二つのリミットブロックと、リミットばねと、二つの細ひもと、固定ロッドとを含み、前記駆動チャンバの右端壁の中には前記駆動チャンバに連通している弧状チャンバが設置され、前記弧状チャンバの中には一端が前記駆動チャンバの中に位置している前記弧状板が設置され、前記弧状板の左端の下端面には前記推し動かしロッドに押し動かされて回転できる前記固定ロッドが固定され、前記昇降ばねの上端が前記弧状チャンバの上端壁に固定され、前記昇降ばねの下端が前記弧状板と接触しており、前記弧状チャンバの片側端壁の中にはまたスライドチャンバが設置され、前記スライドチャンバの中には前記スライドブロックと、前記スライドブロックを復帰させることができる前記スライドばねとが設置され、前記スライドブロックと前記弧状板との間が前記ロープにより連結され、前記スライドチャンバの前後端壁の中にはいずれも前記スライドチャンバに連通しているばね溝が設置され、前記ばね溝の中には前記スライドブロックの移動を制限できる前記ばねブロックと、前記ばねブロックを復帰させることができる前記リミットばねとが設置され、前記ばねブロックの一端には前記細ひもが固定されている。 
【０００７】
好ましくは、前記駆動機構はモータと、駆動軸と、駆動ロッドと、固定軸と、推し動かしロッドと、捻りばねと、第一ベルトプーリと、ベルトと、第二ベルトプーリと、従動軸と、昇降ブロックと、環状ブロックと、従動ブロックと、従動盤と、昇降盤とを含み、前記撒水器の中にはまた駆動チャンバが設置され、前記駆動チャンバの下端壁には前記モータが固定され、前記モータの上端には前記駆動軸が動力が伝達できるように連結され、前記駆動軸の上端には前記駆動ロッドが固定され、前記駆動ロッドの右端には前記固定軸が固定され、前記固定軸の上端には前記伝動機構の中の部分の部品を回転させることができる前記推し動かしロッドが回転できるように連結され、前記推し動かしロッドと前記駆動軸との間が前記捻りばねにより連結され、前記駆動軸にはまた前記第一ベルトプーリが固定され、前記駆動チャンバの下端壁には前記従動軸が回転できるように連結され、前記従動軸には前記第一ベルトプーリと前記ベルトにより連結された前記第二ベルトプーリが固定され、前記従動軸には前記昇降ブロックがネジ山により連結され、前記従動軸の上端には前記昇降ロッドがネジ山により連結され、前記昇降ブロックには前記昇降盤が固定され、 
前記昇降盤の上端面には前記環状ブロックが固定され、前記昇降ロッドの下端には従動盤が固定され、前記従動盤の左端には左方へ開口したリミット溝が設置され、前記環状ブロックの左端には前記環状ブロックの左端を貫通しているリミットチャンバが設置され、前記昇降盤の左端には左方へ開口しており、且つ前記リミットチャンバに連通しているリミット孔が設置されている。 
【０００８】
好ましくは、前記伝動機構はまた二つの昇降ばねとロープとを含み、前記昇降ばねの上端が前記弧状チャンバの上端壁に固定され、且つ前記昇降ばねの下端が前記弧状板と接触し、前記スライダと前記弧状板との間が前記ロープにより連結されている。 
【０００９】
好ましくは、前記制御機構は電磁石と、二つの磁石ブロックと、二つの伸縮ばねと、二つの移動ブロックと、二つのリミット板と、四つの移動ばねとを含み、前記駆動チャンバの左端壁の中には制御チャンバが設置され、前記制御チャンバの中には移動できる二つの前記移動ブロックが設置され、前記移動ブロックの中には右方へ開口した移動溝が設置され、前記リミット板の一端が前記移動溝の中に位置しており、前記リミット板のもう一端が前記駆動チャンバの中に位置しており、下側の前記リミット板の右端が前記リミットチャンバと前記リミット孔の中に位置でき、上側の前記リミット板の右端が前記リミット溝の中に位置しており、前記リミット溝の中には前記移動ブロックと前記リミット板と連結された二つの前記移動ばねが設置され、前記制御チャンバの後端壁には前記電磁石が固定され、前記電磁石の両側にはそれぞれ二つの前記移動ブロックと固定的に連結された前記磁石ブロックがあり、前記磁石ブロックと前記電磁石との間が前記伸縮ばねにより連結され、二つの前記細ひもの一端がそれぞれ一つの前記磁石ブロックの左端と固定的に連結されている。 
【００１０】
好ましくは、前記水噴き機構は環状板と、回転盤と、環状ロッドと、リングブロックと、二つの支持ロッドと、二つの水スプレーガンと、二つの回転軸と、連結ロッドと、回しロッドと圧縮ばねとを含み、前記駆動チャンバの上端壁の中には環状チャンバが設置され、前記環状チャンバの中には前記環状板が摩擦により連結され、前記環状板の上端面には前記環状ロッドと前記回転盤とが設置され、前記水噴きチャンバの中には前記分水ホースの一端に連通している前記水スプレーガンが設置され、前記環状チャンバの上端壁の中には前記水噴きチャンバに連通している環状溝が設置され、前記回転盤の上端には上端がそれぞれ前記水噴きチャンバの中に位置しており、且つ前記水スプレーガンを支持できる二つの前記支持柱が固定され、前記支持柱の上端には前端が前記水スプレーガンと回転できるように連結された前記回転軸が回転できるように連結され、前記環状ロッドの上端には上端が前記水噴きチャンバの中に位置しており、且つ前記水スプレーガンの一端を支持できるリングブロックが固定され、前記環状板の中には前記環状板を貫通している円孔と弧状溝とが設置され、前記回転盤の下端には下端が前記弧状溝を貫通しており、且つ前記弧状板の左端前側に位置している前記回しロッドが固定され、前記弧状溝の中には前記回しロッドを復帰させることができる前記圧縮ばねが設置され、前記環状ロッドの下端には下端が前記円孔を貫通しており、且つ前記弧状板の左側下端面と接触した連結ロッドが固定されている。 
【００１１】
好ましくは、前記スライドばねが一番大きい伸縮量まで引っ張られる時、前記スライドブロックが前記スライドチャンバから離れられなく、前記スライドばねが前記スライドブロックを連動させて復帰させる時、前記ロープの伝動により前記弧状板を復帰させることができる。 
【００１２】
好ましくは、前記伸縮ばねの弾力は前記リミットばねの弾力よりはるかに大きい。 
【００１３】
好ましくは、初期状態において、前記昇降ばねが引っ張られる状態にあり、しかも前記回しロッドが上昇する時に前記回しロッドの下端が前記弧状板の左端と接触できる。 
【発明の効果】
【００１４】
本発明の有益効果は：該装置が構成が簡単で、操作が便利で、該装置が作動している過程において、水スプレーガンの作業方式を任意に変えられ、これにより水スプレーガンの射程を増やし、これにより水を噴く範囲を広め、これにより芝生の水噴き設備を減らすことができ、芝生に撒水するコストを下げる。 
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。 
【００１６】
【図１】図１は本発明の実施例の構成模式図
【図２】図２は本発明の実施例のＡ―Ａの構成模式図
【図３】図３は本発明の実施例のＢ―Ｂの構成模式図
【図４】図４は本発明の実施例の制御機構の部分断面の正面拡大構成模式図
【図５】図５は本発明の実施例の駆動機構の部分断面の正面拡大構成模式図
【図６】図６は本発明の実施例の従動盤の全断面の上面拡大構成模式図
【発明を実施するための形態】
【００１７】
図１〜６に記載のマルチレベル制御できる芝生撒水器の機械構成図を参照し、本発明のマルチレベル制御できる芝生撒水器は、主に撒水器１と、一端が前記撒水器１の中に位置している水入り管２とを含み、前記撒水器１の中には駆動機構５８と、伝動機構５７と、制御機構６０と、水噴き機構５９とが設置されている。 
【００１８】
前記撒水器１の中には外部空間に連通している二つの水噴きチャンバ３が設置され、前記水入り管２の上端には、左右両端がそれぞれ両側の前記水噴きチャンバ３の中に位置しており、且つ前記水入り管２に連通している分水ホース３０が設置され、前記駆動機構５８が作動して装置の運動に動力を提供し、前記水噴き機構５９が異なる距離の水を噴く又は回転しながら水を噴く時、前記制御機構６０が作動し、前記水噴き機構５９を直接制御して昇降させ、あるいは前記伝動機構５７を間接に制御して運動させ、これにより前記水噴き機構５９の中の部分の部品を制御して昇降させ又は回転させ、これにより水を噴く異なる需要を満たす。 
【００１９】
前記駆動機構５８はモータ１９と、駆動軸２１と、駆動ロッド４９と、固定軸５０と、推し動かしロッド５１と、捻りばね５２と、第一ベルトプーリ２０と、ベルト１８と、第二ベルトプーリ１５と、従動軸１６と、昇降ブロック１３と、環状ブロック２２と、従動ブロック１０と、従動盤１１と、昇降盤６１とを含み、前記撒水器１の中にはまた駆動チャンバ１７が設置され、前記駆動チャンバ１７の下端壁には前記モータ１９が固定され、前記モータ１９の上端には前記駆動軸２１が動力が伝達できるように連結され、前記駆動軸２１の上端には前記駆動ロッド４９が固定され、前記駆動ロッド４９の右端には前記固定軸５０が固定され、前記固定軸５０の上端には前記伝動機構５７の中の部分の部品を回転させることができる前記推し動かしロッド５１が回転できるように連結され、前記推し動かしロッド５１と前記駆動軸５０との間が前記捻りばね５２により連結され、前記駆動軸２１にはまた前記第一ベルトプーリ２０が固定され、前記駆動チャンバ１７の下端壁には前記従動軸１６が回転できるように連結され、前記従動軸１６には前記第一ベルトプーリ２０と前記ベルト１８により連結された前記第二ベルトプーリ１５が固定され、前記従動軸１６には前記昇降ブロック１３がネジ山により連結され、前記従動軸１６の上端には前記昇降ロッド１０がネジ山により連結され、前記昇降ブロック１３には前記昇降盤６１が固定され、前記昇降盤６１の上端面には前記環状ブロック２２が固定され、前記昇降ロッド１０の下端には従動盤１０が固定され、前記従動盤１０の左端には左方へ開口したリミット溝５５が設置され、前記環状ブロック２２の左端には前記環状ブロック２２の左端を貫通しているリミットチャンバ５４が設置され、前記昇降盤６１の左端には左方へ開口しており、且つ前記リミットチャンバ５４に連通しているリミット孔１４が設置されている。
【００２０】
前記伝動機構５７は弧状板２３と、二つの昇降ばね２４と、スライドブロック４０と、スライドばね３９と、ロープ３４と、二つのリミットブロック４１と、リミットばね３８と、二つの細ひも３７と、固定ロッド５３とを含み、前記駆動チャンバ１７の右端壁の中には前記駆動チャンバ１７に連通している弧状チャンバ２５が設置され、前記弧状チャンバ２５の中には一端が前記駆動チャンバ１７の中に位置している前記弧状板２３が設置され、前記弧状板２３の左端の下端面には前記推し動かしロッド５１に押し動かされて回転できる前記固定ロッド５３が固定され、前記昇降ばね２４の上端が前記弧状チャンバ２５の上端壁に固定され、前記昇降ばね２４の下端が前記弧状板２３と接触しており、前記弧状チャンバ２５の片側端壁の中にはまたスライドチャンバ３５が設置され、前記スライドチャンバ３５の中には前記スライドブロック４０と、前記スライドブロック４０を復帰させることができる前記スライドばね３９とが設置され、前記スライドブロック４０と前記弧状板２３との間が前記ロープ３４により連結され、前記スライドチャンバ３５の前後端壁の中にはいずれも前記スライドチャンバ３５に連通しているばね溝３６が設置され、前記ばね溝３６の中には前記スライドブロック４０の移動を制限できる前記ばねブロック４１と、前記ばねブロック４１を復帰させることができる前記リミットばね３８とが設置され、前記ばねブロック４１の一端には前記細ひも３７が固定されている。 
【００２１】
前記制御機構６０は電磁石４２と、二つの磁石ブロック４３と、二つの伸縮ばね４４と、二つの移動ブロック４５と、二つのリミット板４８と、四つの移動ばね４６とを含み、前記駆動チャンバ１７の左端壁の中には制御チャンバ１２が設置され、前記制御チャンバ１２の中には移動できる二つの前記移動ブロック４５が設置され、前記移動ブロック４５の中には右方へ開口した移動溝４７が設置され、前記リミット板４８の一端が前記移動溝４７の中に位置しており、前記リミット板４８のもう一端が前記駆動チャンバ１７の中に位置しており、下側の前記リミット板４８の右端が前記リミットチャンバ５４と前記リミット孔１４の中に位置でき、上側の前記リミット板４８の右端が前記リミット溝５５の中に位置しており、前記リミット溝５５の中には前記移動ブロック４５と前記リミット板４８と連結された二つの前記移動ばね４６が設置され、前記制御チャンバ１７の後端壁には前記電磁石４２が固定され、前記電磁石４２の両側にはそれぞれ二つの前記移動ブロック４５と固定的に連結された前記磁石ブロック４３があり、前記磁石ブロック４３と前記電磁石４２との間が前記伸縮ばね４４により連結され、二つの前記細ひも３７の一端がそれぞれ一つの前記磁石ブロック４３の左端と固定的に連結されている。 
【００２２】
前記水噴き機構５９は環状板９と、回転盤２８と、環状ロッド２６と、リングブロック６と、二つの支持ロッド４と、二つの水スプレーガン５と、二つの回転軸２９と、連結ロッド８と、回しロッド７と圧縮ばね３３とを含み、前記駆動チャンバ１７の上端壁の中には環状チャンバ２７が設置され、前記環状チャンバ２７の中には前記環状板９が摩擦により連結され、前記環状板９の上端面には前記環状ロッド２６と前記回転盤２８とが設置され、前記水噴きチャンバ３の中には前記分水ホース３０の一端に連通している前記水スプレーガン５が設置され、前記環状チャンバ２７の上端壁の中には前記水噴きチャンバ３に連通している環状溝５６が設置され、前記回転盤２８の上端には上端がそれぞれ前記水噴きチャンバ３の中に位置しており、且つ前記水スプレーガン５を支持できる二つの前記支持柱４が固定され、前記支持柱４の上端には前端が前記水スプレーガン５と回転できるように連結された前記回転軸２９が回転できるように連結され、前記環状ロッド２６の上端には上端が前記水噴きチャンバ３の中に位置しており、且つ前記水スプレーガン５の一端を支持できるリングブロック６が固定され、前記環状板９の中には前記環状板９を貫通している円孔３１と弧状溝３２とが設置され、前記回転盤２８の下端には下端が前記弧状溝３２を貫通しており、且つ前記弧状板２３の左端前側に位置している前記回しロッド７が固定され、前記弧状溝３２の中には前記回しロッド７を復帰させることができる前記圧縮ばね３３が設置され、前記環状ロッド２６の下端には下端が前記円孔３１を貫通しており、且つ前記弧状板２３の左側下端面と接触した連結ロッド８が固定されている。 
【００２３】
装置全体の機械作動の順序は： 
【００２４】
１：水入り管２により分水ホース３０と水噴き管５の中に水を注ぎ、これにより水噴き管５により水を噴き出し、芝生に散水する。 
【００２５】
２：水スプレーガン５の水を噴く角度を変える時、電磁石４２が作動して磁石ブロック４３と吸引し合い、これにより下側の移動ブロック４５が右方へ運動し、上側の移動ブロック４５が左方へ運動し、これにより下側のリミット板４８がリミットチャンバ５４とリミット孔１４の中に位置しており、上側のリミット板４８の右端がリミット溝５５から離れ、磁石ブロック４３の移動により、一つの細ひも３７が締められるが、もう一つの細ひも３７が緩み、これにより片側のリミットばね３８が復帰し、これにより一つのばねブロック４１がスライドチャンバ３５の中に位置してスライドブロック４０の運動を制御し、これにより弧状板２３が運動できなくなり、この時にモータ１９が起動して駆動軸２１を連動させて回転させ、これにより第一ベルトプーリ２０と駆動ロッド４９とが回転し、駆動ロッド４９が回転して固定軸５０と推し動かしロッド５１とを連動させて回転させ、弧状板２３が回転できないため、固定ロッド５３が回転できなく、これにより推し動かしロッド５１が回転する過程において固定ロッド５３と接触する時、捻りばね５２が捻られ、第一ベルトプーリ２０の回転により第二ベルトプーリ１５と従動軸１６との回転を連動させ、従動盤１１が制限されなくなり、昇降ロッド１０と従動盤１１とが空回りし、昇降盤６１がリミット板４８の制限により昇降ブロック１３と昇降盤６１と環状ブロック２２とを上昇させ、これにより弧状板２３が上昇し、これにより連結ロッド８と、環状ロッド２６とリングブロック６とを上昇させ、これにより水スプレーガン５の一端が上方へ運動し、これにより水スプレーガン５の水を噴く角度を変え、水を更に遠いところまで噴く。 
【００２６】
３：水スプレーガン５が回転しながら水を噴く時、電磁石４２が作動しなく、伸縮ばね４４が二つの磁石ブロック４３を元の位置に戻し、細ひも３７がばねブロック４１をばね溝３６の中に引き戻し、これによりばねブロック４１がスライドブロック４０の運動を制限しなく、また二つのリミット板４８がいずれも従動盤１１と昇降盤６１とを制限しなく、この時にモータ１９が起動して駆動軸２１を連動させて回転させ、これにより駆動ロッド４９が回転し、これにより固定軸５０と推し動かしロッド５１とが回転し、推し動かしロッド５１がスライドブロック４０と固定ロッド５３と弧状板２３とを連動させて回転させ、これにより弧状板２３が回しロッド７と回転盤２８と支持柱４と水スプレーガン５とを連動させて回転させ、弧状板２３が回転しなくなる時、捻りばね５２が捻られ、推し動かしロッド５１と固定ロッド５３とが接触しなくなる時、スライドばね３９がスライドブロック４０を連動させて復帰させ、これにより弧状板２３と固定ロッド５３とが復帰し、回しロッド７が圧縮ばね３３の作用のもとで復帰し、これにより水スプレーガン５が復帰し、モータ１９の起動している期間、水スプレーガン５がそのように往復運動し、これにより水スプレーガン５が回転しながら水を噴く。 
【００２７】
４：水スプレーガン５の高度を上げた後に水を噴く時、電磁石４２が作動して磁石ブロック４３と反発し合い、これにより下側の移動ブロック４５が左方へ移動し、上側の移動ブロック４５が右方へ移動し、これにより下側のリミット板４８がリミットチャンバ５４とリミット孔１４とから離れ、上側のリミット板４８の右端がリミット溝５５の中に位置しており、磁石ブロック４３の移動により一つの細ひも３７が締められるが、もう一つの細ひも３７が緩み、これにより片側のリミットばね３８が復帰し、これにより一つのばねブロック４１がスライドチャンバ３５の中に位置してスライドブロック４０の運動を制限し、これにより弧状板２３が運動できなく、モータ１９が起動して伝動により従動軸１６を回転させ、この時に昇降ブロック１３が空回りし、昇降ロッド１０が上方へ運動し、これにより環状板９が上方へ運動し、これにより回転盤２８と環状ロッド２６とが上方へ運動し、これにより水スプレーガン５を上方へ運動させ、これにより水スプレーガン５の高度を上げ、水を更に遠いところまで噴く。 
【００２８】
５：水スプレーガン５が比較的に高いところで水を噴く又は回転しながら水を噴く時、環状板９が一定の高度まで上昇した後、電磁石４２を制御して作動させ、これにより電磁石４２が磁石ブロック４３と吸引し合い、あるいは電磁石４２を制御して作動させ、モータ１９が起動した後に伝動により水スプレーガン５が回転し又は角度を変えて水を噴く。 
【００２９】
以上に述べたのはただ本実用新型のより良い実施例で、本実用新型を限定することに使わないである。本実用新型の意義と原則のもとで行う全ての修正、同等の入れ替えと改善などは本実用新型の保護範囲に含まれる。